(57)【要約】  本発明は、再生の最適化方法及び装置に関する。この方法は具体的に、クライアントからのマルチメディアリソースに関連する要求を受信した場合に、マルチメディアリソースに関する最適化再生パラメータが記憶されているか否かを検索し、前記最適化再生パラメータが記憶されている場合に、前記クライアントが前記最適化再生パラメータに従って前記マルチメディアリソースを再生するように、前記最適化再生パラメータをクライアントに送信することを含む。本発明の実施例の再生の最適化方法によれば、マルチメディアリソースの再生過程においてハードウェアの長所を生かして再生効果を向上させることができる。さらに、マルチメディアリソース全体の内容を評価し、画面が表現する思想を強調して画面内容に対する理解を深めることができる。【選択図】図１
2019516331.tif 000002
【特許請求の範囲】
【請求項１】
再生の最適化方法であって、
クライアントからのマルチメディアリソースに関連する要求を受信した場合に、マルチメディアリソースに関する最適化再生パラメータが記憶されているか否かを検索し、
前記最適化再生パラメータが記憶されている場合に、前記クライアントが前記最適化再生パラメータに従って前記マルチメディアリソースを再生するように、前記最適化再生パラメータをクライアントに送信することを含むことを特徴とする再生の最適化方法。
【請求項２】
マルチメディアリソースに含まれるシーン特徴に基づいて、前記マルチメディアリソースに関する最適化再生パラメータを生成し、前記最適化再生パラメータを記憶することをさらに含むことを特徴とする請求項１に記載の方法。
【請求項３】
マルチメディアリソースに含まれるシーン特徴に基づいて、前記マルチメディアリソースに関する最適化再生パラメータを生成することは、
マルチメディアリソースに含まれるシーン特徴に基づいて、前記マルチメディアリソースから第１サブセグメントを選択し、各第１サブセグメントの第１時間情報を記録し、
前記各第１サブセグメントのそれぞれに対して第１最適化再生パラメータを設定し、前記第１最適化再生パラメータ及び前記第１時間情報に基づいて、前記マルチメディアリソースに関する最適化再生パラメータを生成することを含むことを特徴とする請求項２に記載の方法。
【請求項４】
マルチメディアリソースに含まれるシーン特徴に基づいて、前記マルチメディアリソースに関する最適化再生パラメータを生成することは、
マルチメディアリソースから特定のシーン特徴が繰り返して現れる第２サブセグメントを選択し、各第２サブセグメントの出現毎の第２時間情報を記録し、
前記各第２サブセグメントに対して第２最適化再生パラメータを設定し、前記第２最適化再生パラメータ及び前記第２時間情報に基づいて、前記マルチメディアリソースに関する最適化再生パラメータを生成することを含むことを特徴とする請求項２に記載の方法。
【請求項５】
マルチメディアリソースに含まれるシーン特徴に基づいて、前記マルチメディアリソースに関する最適化再生パラメータを生成することは、
マルチメディアリソースに対して予め設定されたシーン特徴に基づいて、前記マルチメディアリソース全体に対して、前記マルチメディアリソースに関する最適化再生パラメータを生成することを含むことを特徴とする請求項２に記載の方法。
【請求項６】
前記最適化再生パラメータは、画質最適化再生パラメータ及び／又は音質最適化再生パラメータを含むことを特徴とする請求項１〜５のいずれか１項に記載の方法。
【請求項７】
再生の最適化方法であって、
マルチメディアリソースに関する最適化再生パラメータを取得する旨の要求をサーバへ送信し、
サーバからの前記最適化再生パラメータを受信し、
前記最適化再生パラメータに従って前記マルチメディアリソースを再生することを含むことを特徴とする再生の最適化方法。
【請求項８】
サーバからの前記最適化再生パラメータが受信されなかった場合に、予め設定された再生パラメータに従って前記マルチメディアリソースを再生することをさらに含むことを特徴とする請求項７に記載の方法。
【請求項９】
前記マルチメディアリソースの再生が終了した場合に、予め設定された再生パラメータを復元することをさらに含むことを特徴とする請求項７に記載の方法。
【請求項１０】
前記最適化再生パラメータは、画質最適化再生パラメータ及び／又は音質最適化再生パラメータを含むことを特徴とする請求項７〜９のいずれか１項に記載の方法。
【請求項１１】
再生の最適化装置であって、
クライアントからのマルチメディアリソースに関連する要求を受信した場合に、マルチメディアリソースに関する最適化再生パラメータが記憶されているか否かを検索するパラメータ検索モジュールと、
前記パラメータ検索モジュールに接続され、前記最適化再生パラメータが記憶されている場合に、前記クライアントが前記最適化再生パラメータに従って前記マルチメディアリソースを再生するように、前記最適化再生パラメータをクライアントに送信するパラメータ送信モジュールと、を備えることを特徴とする再生の最適化装置。
【請求項１２】
マルチメディアリソースに含まれるシーン特徴に基づいて、前記マルチメディアリソースに関する最適化再生パラメータを生成し、前記最適化再生パラメータを記憶するパラメータ生成モジュールをさらに備えることを特徴とする請求項１１に記載の装置。
【請求項１３】
前記パラメータ生成モジュールは、
マルチメディアリソースに含まれるシーン特徴に基づいて、前記マルチメディアリソースから第１サブセグメントを選択し、各第１サブセグメントの第１時間情報を記録し、
前記各第１サブセグメントのそれぞれに対して第１最適化再生パラメータを設定し、前記第１最適化再生パラメータ及び前記第１時間情報に基づいて、前記マルチメディアリソースに関する最適化再生パラメータを生成することを特徴とする請求項１２に記載の装置。
【請求項１４】
前記パラメータ生成モジュールは、
マルチメディアリソースから特定のシーン特徴が繰り返して現れる第２サブセグメントを選択し、各第２サブセグメントの出現毎の第２時間情報を記録し、
前記各第２サブセグメントに対して第２最適化再生パラメータを設定し、前記第２最適化再生パラメータ及び前記第２時間情報に基づいて、前記マルチメディアリソースに関する最適化再生パラメータを生成することを特徴とする請求項１２に記載の装置。
【請求項１５】
前記パラメータ生成モジュールは、
マルチメディアリソースに対して予め設定されたシーン特徴に基づいて、前記マルチメディアリソース全体に対して、前記マルチメディアリソースに関する最適化再生パラメータを生成することを特徴とする請求項１２に記載の装置。
【請求項１６】
前記最適化再生パラメータは、画質最適化再生パラメータ及び／又は音質最適化再生パラメータを含むことを特徴とする請求項１１〜１５のいずれか１項に記載の装置。
【請求項１７】
再生の最適化装置であって、
マルチメディアリソースに関する最適化再生パラメータを取得する旨の要求をサーバへ送信する要求送信モジュールと、
サーバからの前記最適化再生パラメータを受信するパラメータ受信モジュールと、
前記パラメータ受信モジュールに接続され、前記最適化再生パラメータに従って前記マルチメディアリソースを再生する第１再生モジュールと、を備えることを特徴とする再生の最適化装置。
【請求項１８】
サーバからの前記最適化再生パラメータが受信されなかった場合に、予め設定された再生パラメータに従って前記マルチメディアリソースを再生する第２再生モジュールをさらに備えることを特徴とする請求項１７に記載の装置。
【請求項１９】
前記マルチメディアリソースの再生が終了した場合に、予め設定された再生パラメータを復元するパラメータ復元モジュールをさらに備えることを特徴とする請求項１７に記載の装置。
【請求項２０】
前記最適化再生パラメータは、画質最適化再生パラメータ及び／又は音質最適化再生パラメータを含むことを特徴とする請求項１７〜１９のいずれか１項に記載の装置。
【発明の詳細な説明】
【技術分野】
【０００１】
（関連出願の相互参照）
本願は、２０１６年４月２８日に出願された出願番号が２０１６１０２８０１２７．２である中国特許出願に基づく優先権を主張するものであり、その内容全体は参照により本明細書に組み込まれる。
【０００２】
本発明は、マルチメディアの分野に関し、特に再生の最適化方法及び装置に関する。
【背景技術】
【０００３】
従来の再生装置、例えばテレビでは、その再生過程において、テレビ及びコンテンツソースのサプライヤは通常、別々である。具体的には、テレビメーカは通常、様々なコンテンツソースに対応可能なテレビジョン装置のみを提供するのに対して、コンテンツソースのサプライヤ、例えばテレビ局は通常、様々な再生装置で再生可能なマルチメディアリソースのみを提供する。ほとんどの場合、テレビには固定した表示パラメータが使用される。しかし、このような固定したパラメータによる再生は、すべてのマルチメディアリソースに適するのではない。再生装置とマルチメディアリソースとが別々であるため、最適な再生結果が得られにくく、ハードウェアの長所を十分に生かすことができない。
【０００４】
あるテレビでは、一部の画質調整パラメータ、例えばコントラスト、彩度、明るさ、ノイズ低減、鮮明度、動き補償などが調整可能になっている。また、あるテレビでは、一部の音質調整パラメータ、例えばノイズ低減、サラウンドサウンドなども調整可能になっている。その用途としては、ユーザが自分でお好みの画面及び音声モードに調整できるようにすることである。
【０００５】
しかし、画質調整は、プロフェッショナルな作業であり、通常、画面によって異なる調整を要する。ユーザ自分によるテスト及び調整結果は、望ましくない可能性があり、視聴効果及び感覚体験に影響を与えるおそれがある。そして、ユーザも手間をかけてテスト及び調整することを怠る。
【発明の概要】
【発明が解決しようとする課題】
【０００６】
以上の事情に鑑みて、本発明が解決しようとする課題は、どのように再生過程においてハードウェアの長所を生かしてマルチメディアリソースの再生効果を向上させるかということである。
【課題を解決するための手段】
【０００７】
上記課題を解決するために、本発明の一実施例により、クライアントからのマルチメディアリソースに関連する要求を受信した場合に、前記マルチメディアリソースに関する最適化再生パラメータが記憶されているか否かを検索し、前記最適化再生パラメータが記憶されている場合に、前記クライアントが前記最適化再生パラメータに従って前記マルチメディアリソースを再生するように、前記最適化再生パラメータをクライアントに送信することを含む再生の最適化方法を提供している。
【０００８】
上記方法について、１つの可能な実施形態において、前記方法は、マルチメディアリソースに含まれるシーン特徴に基づいて、前記マルチメディアリソースに関する最適化再生パラメータを生成し、前記最適化再生パラメータを記憶することをさらに含む。
【０００９】
上記方法について、１つの可能な実施形態において、マルチメディアリソースに含まれるシーン特徴に基づいて、前記マルチメディアリソースに関する最適化再生パラメータを生成することは、マルチメディアリソースに含まれるシーン特徴に基づいて、前記マルチメディアリソースから第１サブセグメントを選択し、各第１サブセグメントの第１時間情報を記録し、前記各第１サブセグメントのそれぞれに対して第１最適化再生パラメータを設定し、前記第１最適化再生パラメータ及び前記第１時間情報に基づいて、前記マルチメディアリソースに関する最適化再生パラメータを生成することを含む。
【００１０】
上記方法について、１つの可能な実施形態において、マルチメディアリソースに含まれるシーン特徴に基づいて、前記マルチメディアリソースに関する最適化再生パラメータを生成することは、マルチメディアリソースから特定のシーン特徴が繰り返して現れる第２サブセグメントを選択し、各第２サブセグメントの出現毎の第２時間情報を記録し、前記各第２サブセグメントに対して第２最適化再生パラメータを設定し、前記第２最適化再生パラメータ及び前記第２時間情報に基づいて、前記マルチメディアリソースに関する最適化再生パラメータを生成することを含む。
【００１１】
上記方法について、１つの可能な実施形態において、マルチメディアリソースに含まれるシーン特徴に基づいて、前記マルチメディアリソースに関する最適化再生パラメータを生成することは、マルチメディアリソースに対して予め設定されたシーン特徴に基づいて、前記マルチメディアリソース全体に対して、前記マルチメディアリソースに関する最適化再生パラメータを生成することを含む。
【００１２】
上記方法について、１つの可能な実施形態において、前記最適化再生パラメータは、画質最適化再生パラメータ及び／又は音質最適化再生パラメータを含む。
【００１３】
上記課題を解決するために、本発明のもう１つの実施例により、マルチメディアリソースに関する最適化再生パラメータを取得する旨の要求をサーバへ送信し、サーバからの前記最適化再生パラメータを受信し、前記最適化再生パラメータに従って前記マルチメディアリソースを再生することを含む再生の最適化方法を提供している。
【００１４】
上記方法について、１つの可能な実施形態において、前記方法は、サーバからの前記最適化再生パラメータが受信されなかった場合に、予め設定された再生パラメータに従って前記マルチメディアリソースを再生することをさらに含む。
【００１５】
上記方法について、１つの可能な実施形態において、前記方法は、前記マルチメディアリソースの再生が終了した場合に、予め設定された再生パラメータを復元することをさらに含む。
【００１６】
上記方法について、１つの可能な実施形態において、前記最適化再生パラメータは、画質最適化再生パラメータ及び／又は音質最適化再生パラメータを含む。
【００１７】
上記課題を解決するために、本発明のもう１つの実施例により、クライアントからのマルチメディアリソースに関連する要求を受信した場合に、前記マルチメディアリソースに関する最適化再生パラメータが記憶されているか否かを検索するパラメータ検索モジュールと、前記パラメータ検索モジュールに接続され、前記最適化再生パラメータが記憶されている場合に、前記クライアントが前記最適化再生パラメータに従って前記マルチメディアリソースを再生するように、前記最適化再生パラメータをクライアントに送信するパラメータ送信モジュールと、を備える再生の最適化装置を提供している。
【００１８】
上記装置について、１つの可能な実施形態において、前記装置は、マルチメディアリソースに含まれるシーン特徴に基づいて、前記マルチメディアリソースに関する最適化再生パラメータを生成し、前記最適化再生パラメータを記憶するパラメータ生成モジュールをさらに備える。
【００１９】
上記装置について、１つの可能な実施形態において、前記パラメータ生成モジュールは具体的に、マルチメディアリソースに含まれるシーン特徴に基づいて、前記マルチメディアリソースから第１サブセグメントを選択し、各第１サブセグメントの第１時間情報を記録し、前記各第１サブセグメントのそれぞれに対して第１最適化再生パラメータを設定し、前記第１最適化再生パラメータ及び前記第１時間情報に基づいて、前記マルチメディアリソースに関する最適化再生パラメータを生成する。
【００２０】
上記装置について、１つの可能な実施形態において、前記パラメータ生成モジュールは具体的に、マルチメディアリソースから特定のシーン特徴が繰り返して現れる第２サブセグメントを選択し、各第２サブセグメントの出現毎の第２時間情報を記録し、前記各第２サブセグメントに対して第２最適化再生パラメータを設定し、前記第２最適化再生パラメータ及び前記第２時間情報に基づいて、前記マルチメディアリソースに関する最適化再生パラメータを生成する。
【００２１】
上記装置について、１つの可能な実施形態において、前記パラメータ生成モジュールは具体的に、マルチメディアリソースに対して予め設定されたシーン特徴に基づいて、前記マルチメディアリソース全体に対して、前記マルチメディアリソースに関する最適化再生パラメータを生成する。
【００２２】
上記装置について、１つの可能な実施形態において、前記最適化再生パラメータは、画質最適化再生パラメータ及び／又は音質最適化再生パラメータを含む。
【００２３】
上記課題を解決するために、本発明のもう１つの実施例により、マルチメディアリソースに関する最適化再生パラメータを取得する旨の要求をサーバへ送信する要求送信モジュールと、サーバからの前記最適化再生パラメータを受信するパラメータ受信モジュールと、前記パラメータ受信モジュールに接続され、前記最適化再生パラメータに従って前記マルチメディアリソースを再生する第１再生モジュールと、を備える再生の最適化装置を提供している。
【００２４】
上記装置について、１つの可能な実施形態において、前記装置は、サーバからの前記最適化再生パラメータが受信されなかった場合に、予め設定された再生パラメータに従って前記マルチメディアリソースを再生する第２再生モジュールをさらに備える。
【００２５】
上記装置について、１つの可能な実施形態において、前記装置は、前記マルチメディアリソースの再生が終了した場合に、予め設定された再生パラメータを復元するパラメータ復元モジュールをさらに備える。
【００２６】
上記装置について、１つの可能な実施形態において、前記最適化再生パラメータは、画質最適化再生パラメータ及び／又は音質最適化再生パラメータを含む。
【発明の効果】
【００２７】
本発明の実施例による再生の最適化方法によれば、マルチメディアリソースに関する最適化再生パラメータに従って前記マルチメディアリソースを再生することができ、マルチメディアリソースの再生過程においてハードウェアの長所を生かして再生効果を向上させることができる。
【００２８】
本発明の他の特徴や側面は、以下、図面を参照して例示的実施例を詳しく説明することにより明らかになるだろう。
【図面の簡単な説明】
【００２９】
明細書に含まれて明細書の一部をなす図面は、明細書とともに本発明の例示的実施例、特徴及び側面を示し、本発明の原理を解釈するものである。
【図１】図１は、本発明の一実施例による再生の最適化方法を示すフローチャートである。
【図２】図２は、本発明の一実施例による再生の最適化方法を示すもう１つのフローチャートである。
【図３】図３は、本発明の一実施例による再生の最適化方法を示すもう１つのフローチャートである。
【図４】図４は、本発明のもう１つの実施例による再生の最適化方法を示すフローチャートである。
【図５】図５は、本発明のもう１つの実施例による再生の最適化方法を示すフローチャートである。
【図６】図６は、本発明のもう１つの実施例による再生の最適化方法を示すフローチャートである。
【図７】図７は、本発明の一実施例による再生の最適化装置を示す構成模式図である。
【図８】図８は、本発明の一実施例による再生の最適化装置を示すもう１つの構成模式図である。
【図９】図９は、本発明のもう１つの実施例による再生の最適化装置を示す構成模式図である。
【図１０】図１０は、本発明のもう１つの実施例による再生の最適化装置を示すもう１つの構成模式図である。
【図１１】図１１は、本発明のもう１つの実施例による再生の最適化装置を示す構成模式図である。
【発明を実施するための形態】
【００３０】
以下、図面を参照しながら本発明の種々の例示的実施例、特徴及び側面を詳細に説明する。図面における同じ符号は、同一又は類似する機能を有する素子を示す。図面には実施例の種々の側面が示されているが、特記されていない限り、その比例どおりに図面を描く必要はない。
【００３１】
ここでの「例示的」という専用語は、「例、実施例として用いられるか、または説明のためのものである」ことを意味する。ここで「例示的」に説明した実施例はいずれも他の実施例よりも好ましいか、または良いと解釈する必要はない。
【００３２】
また、本発明をより良く説明するために、以下の具体的な実施形態において具体的な細部を多く記載した。本発明は、何らかの具体的な細部が無くとも同様に実施できることは、当業者が理解すべきことである。本発明の主旨を際立たせるために、一部の実施例では、当業者に良く知られている方法、手段、素子、及び回路について詳細に記述しない。
【００３３】
（実施例１）
図１は、本発明の一実施例による再生の最適化方法を示すフローチャートである。図１に示すように、この再生の最適化方法は、主に以下のステップを含みうる。
【００３４】
ステップ１０１において、クライアントからのマルチメディアリソースに関連する要求を受信した場合に、前記マルチメディアリソースに関する最適化再生パラメータが記憶されているか否かを検索する。
【００３５】
ステップ１０２において、前記最適化再生パラメータが記憶されている場合に、前記クライアントが前記最適化再生パラメータに従って前記マルチメディアリソースを再生するように、前記最適化再生パラメータをクライアントに送信する。
【００３６】
ここで、クライアントとは、通常、ユーザにローカルサービスを提供するプログラム又は装置をいう。本実施例のクライアントとは、マルチメディアリソースを再生可能な再生プログラム又は装置をいう。再生装置は、特に限定されず、インターネットテレビ、コンピュータ、タブレット及び携帯電話などを含みうる。マルチメディア（Ｍｕｌｔｉｍｅｄｉａ）リソースは、複数の種類のメディアの統合であり、一般的には、テキスト、音声、ビデオ及び画像などの様々なメディア形式を含みうる。再生パラメータは、画質再生パラメータ及び／音質再生パラメータを含みうる。具体的には、画質再生パラメータは、コントラスト、彩度、明るさ、ノイズ低減、鮮明度、動き補償などを含みうる。音質再生パラメータは、サラウンドサウンド及び明瞭度などのパラメータを含みうる。
【００３７】
１つの可能な実施形態において、最適化再生パラメータは、画質最適化再生パラメータ及び／又は音質最適化再生パラメータを含みうる。
【００３８】
具体的には、最適化再生パラメータとは、マルチメディアリソースの再生効果を最適化するために設定された再生パラメータをいう。例えば、ビデオリソースに対して、対応するコントラスト、彩度などのパラメータを設定することにより、ビデオの画面をより鮮明にしたり、色彩をより豊かにしたりしてより良い画質再生効果が得られる。オーディオリソースに対して、対応するサラウンドサウンドモードを設定することにより、ビデオの音声をマルチチャンネルを介して伝播させて、より良い音質再生効果が得られる。最適化再生パラメータは、対応する画質最適化再生パラメータ及び音質最適化再生パラメータの両方を含んでもよく、画質最適化再生パラメータ及び音質最適化再生パラメータのうちの一方を含んでもよい。
【００３９】
前記要求は、必要に応じて任意の好適な方式で前記マルチメディアリソースに関連してもよい。例えば、前記要求は、マルチメディアリソースのオンデマンド要求、又はマルチメディアリソースに関する最適化再生パラメータの取得要求などの複数の形態を含みうる。前記要求は、マルチメディアリソースの識別情報、例えばマルチメディアリソースの名称、番号などの情報を含みうる。
【００４０】
具体的には、クライアントにマルチメディアリソースが記憶されていない場合に、クライアントは、サーバからマルチメディアリソース及びそれに関する最適化再生パラメータの両方を取得する必要がある。この場合、クライアントは、マルチメディアリソースのオンデマンド要求をサーバへ送信する。サーバは、マルチメディアリソースに関する最適化再生パラメータが記憶されているか否かを検索し、前記最適化再生パラメータが記憶されている場合に、前記クライアントが前記最適化再生パラメータに従って前記マルチメディアリソースを再生するように、前記マルチメディアリソース及び前記最適化再生パラメータをクライアントに送信する。
【００４１】
さらに、クライアントにマルチメディアリソースが記憶されている場合には、通常、クライアントはサーバから当該マルチメディアリソースに関する最適化再生パラメータのみを取得すればよい。この場合、クライアントは、マルチメディアリソースに関する最適化再生パラメータの取得要求をサーバへ送信する。サーバは、マルチメディアリソースに関する最適化再生パラメータが記憶されているか否かを検索し、前記最適化再生パラメータが記憶されている場合に、前記クライアントが前記最適化再生パラメータに従って前記マルチメディアリソースを再生するように、前記最適化再生パラメータをクライアントに送信する。
【００４２】
１つの可能な実施形態において、図２に示すように、再生の最適化方法は、さらに以下のステップを含みうる。
【００４３】
ステップ２０１において、マルチメディアリソースに含まれるシーン特徴に基づいて、前記マルチメディアリソースに関する最適化再生パラメータを生成する。
【００４４】
ステップ２０２において、前記最適化再生パラメータを記憶する。
【００４５】
なお、前記マルチメディアリソースに関する最適化再生パラメータを生成する方式としては、多くの種類がある。例えば、経験に基づいて手動でテスト及び調整することによって取得するか、あるいはバックグラウンド・アプリケーション・プログラムによる解析計算によって取得してもよい。本実施例では、最適化再生パラメータの生成方式を限定しない。さらに、前記マルチメディアリソースに関する最適化再生パラメータを生成した後、それをサーバに記憶する。
【００４６】
さらに、１つの可能な実施形態において、図３に示すように、マルチメディアリソースに含まれるシーン特徴に基づいて、前記マルチメディアリソースに関する最適化再生パラメータを生成する（ステップ２０１）ことは、具体的に以下のステップを含みうる。
【００４７】
ステップ３０１において、マルチメディアリソースに含まれるシーン特徴に基づいて、前記マルチメディアリソースから第１サブセグメントを選択し、各第１サブセグメントの第１時間情報を記録する。
【００４８】
ステップ３０２において、前記各第１サブセグメントのそれぞれに対して第１最適化再生パラメータを設定し、前記第１最適化再生パラメータ及び前記第１時間情報に基づいて、前記マルチメディアリソースに関する最適化再生パラメータを生成する。
【００４９】
本実施例において、シーンとは、マルチメディアリソースにおける人物及び環境などの対象で構成される場面をいう。本明細書における「シーン特徴」とは、シーンの特徴点を表現できる特徴、例えば人物対象特徴（例えば服装特徴、人数特徴など）、環境対象特徴（空、緑地、特殊建築物、雨、雪、晴れなど）、内容特徴（例えばシーンが表現しようとする思想、テーマ、効果特徴など）、動的特徴（主に動きシーン、静止シーンなど）をいう。マルチメディアリソースに含まれるシーン特徴は、例えば人為的に識別されるか、あるいはプログラムによって自動的に識別されてもよく、本発明では特に限定しない。
【００５０】
本実施例では、マルチメディアリソースから第１サブセグメントを選択する方式を限定しない。例えば、シーンが表現しようとする思想特徴に基づいて第１サブセグメントを選択してもよく、シーンが達成しようとする効果特徴に基づいて第１サブセグメントを選択してもよい。第１時間情報は、各第１サブセグメントの再生開始・終了時間であってもよく、各第１サブセグメントの開始・終了時間を含む再生期間であってもよい。
【００５１】
以下、映画を例にとって例示的に説明する。映画のシーンには、通常、監督が表現しようとする思想が含まれている。映画の本来の意味をできるだけ精確に伝えるために、映画に含まれるシーン特徴に基づいて第１サブセグメントを選択する。例えば、シーンの環境特徴に基づいて、暗いシーンのサブセグメント、かすんだシーンのサブセグメント、降雨又は降雪のシーンのサブセグメントを選択し、この３つの第１サブセグメントの開始・終了時間、例えば８：０２〜９：１５、１７：３８〜１９：４２、４５：２９〜５０：２２をそれぞれ記録することができる（ステップ３０１）。この３つのサブセグメントに対して、それぞれ最適化再生パラメータを生成する。例えば暗いシーンのサブセグメントに対して、ダイナミックバックライトを調整して画面を十分に暗くし、かすんだシーンのサブセグメントに対して、鮮明度を下げ、降雨又は降雪のシーンのサブセグメントに対して、ノイズ低減機能を下げることができる。この３つの第１サブセグメントの最適化再生パラメータを、開始・終了時間８：０２〜９：１５、１７：３８〜１９：４２、４５：２９〜５０：２２の順に配列して、当該映画に関する最適化再生パラメータを生成する（ステップ３０２）。ここで、映画の再生時間軸上で、開始・終了時間、例えば８：０２〜９：１５、１７：３８〜１９：４２、４５：２９〜５０：２２とは、映画の再生開始から各第１サブセグメントの再生開始又は再生終了までの経過時間をいう。当該映画に関する最適化再生パラメータをサーバに記憶する（ステップ２０２）。クライアントからの当該映画を再生する旨の要求を受信した場合に、当該映画に関する最適化再生パラメータが記憶されているか否かを検索する（ステップ１０１）。クライアントが最適化再生パラメータに従って映画を再生するように、当該映画に関する当該最適化再生パラメータをクライアントに送信する（ステップ１０２）。
【００５２】
本発明の実施例による再生の最適化方法によれば、マルチメディアリソースの再生過程においてハードウェアの長所を生かして再生効果を向上させることができる。さらに、マルチメディアリソース全体の内容を評価し、画面が表現する思想を強調して画面内容に対する理解を深めることができる。
【００５３】
（実施例２）
図４は、本発明のもう１つの実施例による再生の最適化方法を示すフローチャートである。図４において、符号が図１〜図３と同一のステップは同一の意味を有するので、簡潔のためにこれらのステップに関する詳細な説明を省略する。
【００５４】
本実施例は、上記した方法の実施例と比べ、図４に示すように、マルチメディアリソースに含まれるシーン特徴に基づいて、前記マルチメディアリソースに関する最適化再生パラメータを生成する（ステップ２０１）ことが具体的に以下のステップを含みうる点で異なる。
【００５５】
ステップ４０１において、マルチメディアリソースから特定のシーン特徴が繰り返して現れる第２サブセグメントを選択し、各第２サブセグメントの出現毎の第２時間情報を記録する。
【００５６】
ステップ４０２において、前記各第２サブセグメントに対して第２最適化再生パラメータを設定し、前記第２最適化再生パラメータ及び前記第２時間情報に基づいて、前記マルチメディアリソースに関する最適化再生パラメータを生成する。
【００５７】
以下、テレビドラマを例にとって例示的に説明する。テレビドラマのシーンでは、通常、服装、宮殿などのシーン特徴が繰り返して現れることが多い。画面をより鮮明にしたり、色彩をより豊かにしたりして再生効果を高めるために、テレビドラマから特定のシーン特徴が繰り返して現れる第２サブセグメントを選択する。例えば、主役の服装が繰り返して現れる第２サブセグメントを選択し、各第２サブセグメントが各話において現れる開始・終了時間、例えば、第１話５：０２〜６：０９、４０：１５〜４２：１２、第２話１６：０９〜１８：２１、１８：３２〜２３：２０などを記録する（ステップ４０１）。主役の服装が繰り返して現れる第２サブセグメントに対して、服装の色彩がより豊かになるようにコントラスト、彩度などのパラメータを調整することができる。この繰り返して現れる第２サブセグメントの最適化再生パラメータを、各第２サブセグメントが各話において現れる開始・終了時間、例えば第１話５：０２〜６：０９、４０：１５〜４２：１２、第２話１６：０９〜１８：２１、１８：３２〜２３：２０などの順に配列して、当該テレビドラマの各話に関する最適化再生パラメータを生成する。さらに、当該テレビドラマの各話に関する最適化再生パラメータは、当該テレビドラマに関する最適化再生パラメータを構成する（ステップ４０２）。ここで、テレビドラマの再生時間軸上で、開始・終了時間、例えば第１話５：０２〜６：０９、４０：１５〜４２：１２とは、第１話のテレビドラマの再生開始から第２サブセグメントの再生開始又は再生終了までの経過時間をいう。当該テレビドラマに関する最適化再生パラメータをサーバに記憶する（ステップ２０２）。クライアントからの当該テレビドラマを再生する旨の要求を受信した場合に、当該テレビドラマに関する最適化再生パラメータが記憶されているか否かを検索する（ステップ１０１）。クライアントが最適化再生パラメータに従ってテレビドラマを再生するように、当該テレビドラマに関する当該最適化再生パラメータをクライアントに送信する（ステップ１０２）。
【００５８】
本発明の実施例による再生の最適化方法によれば、マルチメディアリソースの再生過程においてハードウェアの長所を生かして再生効果を向上させることができる。さらに、マルチメディアリソース全体において特定のシーン特徴が繰り返して現れるサブセグメントに対して一括して設定してもよい。例えば、テレビドラマにおいて繰り返して現れる主役の服装に対してパラメータ調整を行うことにより、画面をより鮮明にしたり、色彩をより豊かにしたりしてより良い画質再生効果が得られる。
【００５９】
（実施例３）
図５は、本発明のもう１つの実施例による再生の最適化方法を示すフローチャートである。図５において、符号が図１〜図４と同一のステップは同一の意味を有するので、簡潔のためにこれらのステップに関する詳細な説明を省略する。
【００６０】
本実施例は、上記した方法の実施例と比べ、図５に示すように、マルチメディアリソースに含まれるシーン特徴に基づいて、前記マルチメディアリソースに関する最適化再生パラメータを生成する（ステップ２０１）ことが具体的に以下のステップを含みうる点で異なる。
【００６１】
ステップ５０１において、マルチメディアリソースに対して予め設定されたシーン特徴に基づいて、前記マルチメディアリソース全体に対して、前記マルチメディアリソースに関する最適化再生パラメータを生成する。
【００６２】
以下、ライブ中継番組を例にとって例示的に説明する。ライブ中継番組の内容が例えばサッカー試合である場合に、通常、そのシーン特徴は事前に把握することができる。例えば、多くの画面には緑の芝生が表示され、速く動くシーンが多い。サッカー試合全体の中継番組に対して、ライブ中継のサッカー試合に関する最適化再生パラメータを生成することができる。例えば、緑の芝生に対してコントラスト、彩度などのパラメータを調整して色をより鮮やかにする。速く動くシーンに対して、再生装置の動き補償機能をオンにして、画面を鮮明で滑らかにし、再生効果を向上させることができる（ステップ５０１）。ライブ中継のサッカー試合に関する最適化再生パラメータをサーバに記憶する（ステップ２０２）。クライアントからのサッカー試合をライブで中継する旨の要求を受信した場合に、ライブ中継のサッカー試合に関する最適化再生パラメータが記憶されているか否かを検索する（ステップ１０１）。クライアントが最適化再生パラメータに従ってサッカー試合を再生するように、当該ライブ中継のサッカー試合に関する当該最適化再生パラメータをクライアントに送信する（ステップ１０２）。
【００６３】
同様に、ライブ中継のコンサートに対応する音質最適化再生パラメータを生成してもよい。例えば、サラウンドサウンドモードを設定することができる。音質は、個別に動的に調整されるか、あるいは画質とともに動的に調整されてもよい。
【００６４】
本発明の実施例による再生の最適化方法によれば、マルチメディアリソースの再生過程においてハードウェアの長所を生かして再生効果を向上させることができる。さらに、予め設定されたシーン特徴に対して再生パラメータを設定することができる。例えば、ライブ中継のサッカー試合の緑の芝生及び速い動きに対してパラメータ調整を行うことにより、中継画面を色鮮やか、鮮明、滑らかにしてより良い画質再生効果が得られる。
【００６５】
（実施例４）
図６は、本発明のもう１つの実施例による再生の最適化方法を示すフローチャートである。図６に示すように、この再生の最適化方法は、主に以下のステップを含みうる。
【００６６】
ステップ６０１において、マルチメディアリソースに関する最適化再生パラメータを取得する旨の要求をサーバへ送信する。
【００６７】
ステップ６０２において、サーバからの前記最適化再生パラメータを受信する。
【００６８】
ステップ６０３において、前記最適化再生パラメータに従って前記マルチメディアリソースを再生する。
【００６９】
ここで、マルチメディアリソースに関する最適化再生パラメータの要求は、マルチメディアリソースのオンデマンド要求、又はマルチメディアリソースに関する最適化再生パラメータの取得要求などの複数の形態を含みうる。前記要求は、マルチメディアリソースの識別情報、例えばマルチメディアリソースの名称、番号などの情報を含みうる。具体的な原理及び例は、実施例１の関連記述を参照してよい。
【００７０】
１つの可能な実施形態において、サーバからの前記最適化再生パラメータが受信されなかった場合に、予め設定された再生パラメータに従って前記マルチメディアリソースを再生する。
【００７１】
１つの可能な実施形態において、前記マルチメディアリソースの再生が終了した場合に、予め設定された再生パラメータを復元する。ここで、予め設定された再生パラメータとしては、再生装置の工場出荷時の設定パラメータであってもよく、ユーザによる調整後の設定パラメータであってもよい。
【００７２】
以下、再生装置がインターネットテレビであることを例にとって例示的に説明する。同一のマルチメディアリソースに対して、インターネットテレビのメーカーは、異なる型番のテレビに対して、テスト及び調整によって異なる最適化再生パラメータを設定することができる。例えば、インターネットテレビは、サーバへ映画のオンデマンド要求を送信し（ステップ６０１）、サーバからの当該映画に関する最適化再生パラメータを受信した場合に（ステップ６０２）、当該最適化再生パラメータに従って当該映画を再生する（ステップ６０３）。サーバからの当該映画に関する最適化再生パラメータが受信されなかった場合に、予め設定された再生パラメータに従って当該映画を再生する。当該映画の再生が終了した場合に、予め設定された再生パラメータを復元する。
【００７３】
本発明の実施例による再生の最適化方法は、特定のマルチメディアリソースに対して独特の最適化再生効果を提供し、マルチメディアリソースの再生過程においてハードウェアの長所を生かして再生効果を向上させることができる。
【００７４】
（実施例５）
図７は、本発明の一実施例による再生の最適化装置を示す構成模式図である。図７に示すように、この装置は主に、クライアントからのマルチメディアリソースに関連する要求を受信した場合に、マルチメディアリソースに関する最適化再生パラメータが記憶されているか否かを検索するパラメータ検索モジュール１３と、前記パラメータ検索モジュール１３に接続され、前記最適化再生パラメータが記憶されている場合に、前記クライアントが前記最適化再生パラメータに従って前記マルチメディアリソースを再生するように、前記最適化再生パラメータをクライアントに送信するパラメータ送信モジュール１５と、を備える。具体的な原理及び例は、実施例１及び図１の関連記述を参照してよい。
【００７５】
１つの可能な実施形態において、図８に示すように、前記装置は、マルチメディアリソースに含まれるシーン特徴に基づいて、前記マルチメディアリソースに関する最適化再生パラメータを生成し、前記最適化再生パラメータを記憶するパラメータ生成モジュール１１をさらに備える。具体的な原理及び例は、実施例１及び図２の関連記述を参照してよい。
【００７６】
１つの可能な実施形態において、パラメータ生成モジュール１１は具体的に、マルチメディアリソースに含まれるシーン特徴に基づいて、前記マルチメディアリソースから第１サブセグメントを選択し、各第１サブセグメントの第１時間情報を記録し、前記各第１サブセグメントのそれぞれに対して第１最適化再生パラメータを設定し、前記第１最適化再生パラメータ及び前記第１時間情報に基づいて、前記マルチメディアリソースに関する最適化再生パラメータを生成する。具体的な原理及び例は、実施例１及び図３の関連記述を参照してよい。
【００７７】
１つの可能な実施形態において、パラメータ生成モジュール１１は具体的に、マルチメディアリソースから特定のシーン特徴が繰り返して現れる第２サブセグメントを選択し、各第２サブセグメントの出現毎の第２時間情報を記録し、前記各第２サブセグメントに対して第２最適化再生パラメータを設定し、前記第２最適化再生パラメータ及び前記第２時間情報に基づいて、前記マルチメディアリソースに関する最適化再生パラメータを生成する。具体的な原理及び例は、実施例２及び図４の関連記述を参照してよい。
【００７８】
１つの可能な実施形態において、パラメータ生成モジュール１１は具体的に、マルチメディアリソースに対して予め設定されたシーン特徴に基づいて、前記マルチメディアリソース全体に対して、前記マルチメディアリソースに関する最適化再生パラメータを生成する。具体的な原理及び例は、実施例３及び図５の関連記述を参照してよい。
【００７９】
１つの可能な実施形態において、前記最適化再生パラメータは、画質最適化再生パラメータ及び／又は音質最適化再生パラメータを含む。
【００８０】
本発明の実施例による再生の最適化装置によれば、マルチメディアリソースの再生過程においてハードウェアの長所を生かして再生効果を向上させることができる。さらに、マルチメディアリソース全体の内容を評価し、画面が表現する思想を強調して画面内容に対する理解を深めることができる。
【００８１】
（実施例６）
図９は、本発明のもう１つの実施例による再生の最適化装置を示す構成模式図である。図９に示すように、この装置は主に、マルチメディアリソースに関する最適化再生パラメータを取得する旨の要求をサーバへ送信する要求送信モジュール１１１と、サーバからの前記最適化再生パラメータを受信するパラメータ受信モジュール１１３と、前記パラメータ受信モジュール１１３に接続され、前記最適化再生パラメータに従って前記マルチメディアリソースを再生する第１再生モジュール１１５と、を備える。具体的な原理及び例は、実施例４及び図６の関連記述を参照してよい。
【００８２】
１つの可能な実施形態において、図１０に示すように、前記装置は、サーバからの前記最適化再生パラメータが受信されなかった場合に、予め設定された再生パラメータに従って前記マルチメディアリソースを再生する第２再生モジュール１１７をさらに備える。
【００８３】
１つの可能な実施形態において、図１０に示すように、前記装置は、前記マルチメディアリソースの再生が終了した場合に、予め設定された再生パラメータを復元するパラメータ復元モジュール１１９をさらに備える。
【００８４】
１つの可能な実施形態において、前記最適化再生パラメータは、画質最適化再生パラメータ及び／又は音質最適化再生パラメータを含む。
【００８５】
本発明の実施例による再生の最適化装置は、特定のマルチメディアリソースに対して独特の最適化再生効果を提供し、マルチメディアリソースを再生する過程においてハードウェアの長所を生かして再生効果を向上させることができる。
【００８６】
（実施例７）
図１１は、本発明のもう１つの実施例による再生の最適化装置を示す構成模式図である。前記再生の最適化装置１１００は、コンピューティング能力を有するホストサーバ、パーソナルコンピュータ（ＰＣ）、又は持ち運び可能なポータブルコンピュータ又は端末などであってもよい。本発明の具体的な実施例では、コンピュートノードの具体的な実現を限定しない。
【００８７】
前記再生の最適化装置１１００は、プロセッサ（ｐｒｏｃｅｓｓｏｒ）１１１０、通信インタフェース（Ｃｏｍｍｕｎｉｃａｔｉｏｎｓ  Ｉｎｔｅｒｆａｃｅ）１１２０、メモリ（ｍｅｍｏｒｙ）１１３０、およびバス１１４０を含み、プロセッサ１１１０、通信インタフェース１１２０及びメモリ１１３０は、バス１１４０を介して互いに通信する。
【００８８】
通信インタフェース１１２０は、例えば仮想マシン管理センター、共有メモリなどを含むネットワーク装置と通信するためのものである。
【００８９】
プロセッサ１１１０は、プログラムを実行するためのものである。プロセッサ１１１０は、中央処理装置（ＣＰＵ）、又は特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、又は本発明の実施例を実行するように構成された１つ又は複数の集積回路であってもよい。
【００９０】
メモリ１１３０は、ファイルを記憶するためのものである。メモリ１１３０は、高速ＲＡＭメモリを含み、さらに少なくとも１つのディスクメモリなどの不揮発性メモリ（ｎｏｎ−ｖｏｌａｔｉｌｅ  ｍｅｍｏｒｙ）を含みうる。メモリ１１３０は、メモリアレイであってもよい。メモリ１１３０は、ブロック化されてもよく、かつ前記ブロックは、一定のルールに従って仮想ボリュームに組み合わせられてもよい。
【００９１】
１つの可能な実施形態において、上記プログラムは、コンピュータ操作命令を含むプログラコードであってもよい。このプログラムは具体的に、実施例１〜４における各ステップの操作を実現するために用いられる。
【００９２】
当業者は、本明細書に記載される実施例におけるさまざまな例示的なユニット及びアルゴリズムステップは、電子ハードウェア、又はコンピュータソフトウェア及び電子ハードウェアの組み合わせによって実施されてもよいことを認識することができる。これらの機能がハードウェアによって実行されるか又はソフトウェアによって実行されるかは、技術案の特定の適用及び設計制約条件により決められる。専門技術者は、特定の適用に応じて異なる方法を使用して上記した機能を実現することができるが、このような実現は、本発明の範囲を越えるものとみなされるべきではない。
【００９３】
前記機能がコンピュータソフトウェアの形態で実現され、独立した製品として販売又は使用される場合、本発明の技術案の全部又は一部（例えば、従来技術に寄与する部分）は、コンピュータソフトウェア製品の形態で実現されるとある程度考えられる。当該コンピュータソフトウェア製品は通常、コンピュータが読取可能な不揮発性記憶媒体に記憶され、コンピュータ装置（パーソナルコンピュータ、サーバ、又はネットワーク装置など）に本発明の各実施例に記載の方法のステップの全て又は一部を実行させるような複数の命令を含む。上記した記憶媒体は、ＵＳＢフラッシュメモリ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを記憶可能な様々な媒体を含む。
【００９４】
以上は、本発明の具体的な実施形態に過ぎず、本発明の権利範囲はこれらに限定されるものではない。当業者が本発明に開示される技術の範囲内で容易に想到できる変形や変更はいずれも、本発明の権利範囲に含まれる。したがって、本発明の権利範囲は、添付の特許請求の範囲によるものである。
【図１】
2019516331.tif 000003
【図２】
2019516331.tif 000004
【図３】
2019516331.tif 000005
【図４】
2019516331.tif 000006
【図５】
2019516331.tif 000007
【図６】
2019516331.tif 000008
【図７】
2019516331.tif 000009
【図８】
2019516331.tif 000010
【図９】
2019516331.tif 000011
【図１０】
2019516331.tif 000012
【図１１】
2019516331.tif 000013
【国際調査報告】
2019516331.tif 000014
2019516331.tif 000015
2019516331.tif 000016
2019516331.tif 000017
2019516331.tif 000018
2019516331.tif 000019